(57)【要約】【課題】コスト上昇、組み立て作業の複雑化を抑えつつ、照明のレイアウトの自由度を高める。【解決手段】照明装置本体と、照明装置本体を支持する支持部材５０と、を備え、照明装置本体は、中央部に配置され、その外周部に、周方向に複数のランプ取付部１２６，１２６を有したコア部１２０を備え、コア部１２０の周方向に設けられた複数のランプ取付部１３７ａ，１３７ａのそれぞれに、コア部１２０から外周側に張り出し、光源を有した照明ユニット１３０と、コア部１２０の外周部を塞ぐカバープレート１５０とが、選択的に取付可能とされている。【選択図】図５
2014093234.tif 000002
【特許請求の範囲】
【請求項１】
照明装置本体と、前記照明装置本体を支持する支持部材と、を備え、
前記照明装置本体は、
外周部の周方向に複数のランプ取付部が設けられたコア部を備え、
複数の前記ランプ取付部には、前記コア部の外周側に張り出す、光源を有した照明ユニットと、前記コア部の外周部を塞ぐカバープレートとが、選択的に取付可能とされていることを特徴とする照明装置。
【請求項２】
前記コア部は、平面視多角形状とされ、前記コア部の外周部の各辺に前記ランプ取付部を備えることを特徴とする請求項１に記載の照明装置。
【請求項３】
前記コア部は、前記照明ユニットの前記光源での発光動作を制御する制御基板を備えていることを特徴とする請求項１または２に記載の照明装置。
【請求項４】
前記照明ユニットは、上方に向けて発光する上部発光部と、下方に向けて発光する下部発光部と、を備えていることを特徴とする請求項１から３のいずれか一項に記載の照明装置。
【請求項５】
前記支持部材は、
什器の天板に形成された開口部と、
前記開口部の下方に設けられ、上方に開口したボックス本体と、
前記ボックス本体の底面に着脱可能に固定されるベースプレートと、
前記支柱の下端部を支持する支柱支持部と、
を備えることを特徴とする請求項１から４のいずれか一項に記載の照明装置。
【発明の詳細な説明】
【技術分野】
【０００１】
本発明は、オフィス等の室内で使用される照明装置に関する。
【背景技術】
【０００２】
オフィス、ホテルをはじめとする各種商業施設等においては、室内の照度が十分に確保されることが望ましい。一般的には、室内の天井に取り付けられた天井照明と、この天井照明での不足分を補う照明装置とによって照度が確保されている。
【０００３】
この種の照明装置として、什器の天板上に複数本の支柱を立設し、これら支柱の上端部間を渡るようにして設けられた照明取付部材に、下方に向けて照明する直接照明光源と、上方に向けて照明する間接照明光源と、を光源として備えた構成が提案されている（例えば、特許文献１参照）。
【先行技術文献】
【特許文献】
【０００４】
【特許文献１】特開２０１１−６５８４４号公報
【発明の概要】
【発明が解決しようとする課題】
【０００５】
ところで、特許文献１に記載されたような構成の照明装置では、複数本の支柱間に設けた照明取付部材に光源を取り付けるため、そのレイアウトに制限を受ける。例えば、照明装置をＬ字状に設けようとすれば、什器の天板上に支柱を固定するために設けるレールや、照明取付部材もＬ字状に設けなければならない。このようなレイアウトを実現するには、様々な形状のレールや照明取付部材を用意しなければならず、部品点数が増加して高コスト化につながるほか、組み付け作業も複雑化する。このため、上記したような構成の照明装置は、光源を一組しか設けることができないのが実情である。
そこでなされた本発明の目的は、コスト上昇、組み立て作業の複雑化を抑えつつ、照明のレイアウトの自由度を高めることのできる照明装置を提供することである。
【課題を解決するための手段】
【０００６】
本発明は、上記課題を解決するため、以下の手段を採用する。
すなわち、本発明の照明装置は、照明装置本体と、前記照明装置本体を支持する支持部材と、を備え、前記照明装置本体は、外周部の周方向に複数のランプ取付部が設けられたコア部を備え、複数の前記ランプ取付部には、前記コア部の外周側に張り出す、光源を有した照明ユニットと、前記コア部の外周部を塞ぐカバープレートとが、選択的に取付可能とされていることを特徴とする。
【０００７】
コア部の外周部に複数設けられたランプ取付部に対し、照明ユニットと、カバープレートとが選択的に取付可能となっているので、照明装置の設置場所、用途等に応じて、コア部に取り付ける照明装置の数、レイアウトを適宜に選択できる。照明ユニットを取り付けない部分は、カバープレートを装着することによってコア部のランプ取付部を閉塞し、外観を美麗なものとすることができる。
【０００８】
また、前記コア部は、平面視多角形状とされ、前記コア部の外周部の各辺に前記ランプ取付部を備えるようにしても良い。
【０００９】
また、前記コア部は、前記照明ユニットの前記光源での発光動作を制御する制御基板を備えているのが好ましい。これによって、照明ユニットの部品点数を削減して、照明ユニットを、光源を含む最小限の構成とすることができる。
【００１０】
前記照明ユニットは、上方に向けて発光する上部発光部と、下方に向けて発光する下部発光部と、を備えているようにしても良い。
このような支持部材においては、一つの照明ユニットで間接照明と直接照明との両方を行うことができる。
【００１１】
また、照明装置本体を支持する支持部材は、什器の天板に形成された開口部と、前記開口部の下方に設けられ、上方に開口したボックス本体と、前記ボックス本体の底面に着脱可能に固定されるベースプレートと、前記ベースプレートに固定され、前記支柱の下端部を支持する支柱支持部と、を備えていてもよい。
【００１２】
このような支持部材においては、ボックス本体の底面にベースプレートを固定し、照明装置本体の支柱の下端部を支柱支持部で支持することによって、天板の上方に照明装置本体を配置することができる。このとき、ボックス本体の底面にベースプレートを固定することで、支柱を強固に支持することができる。
また、ベースプレートや支柱支持部を開口部の下方のボックス本体内に収容することで、天板上の美観を向上させることができる。
【発明の効果】
【００１３】
本発明によれば、コスト上昇、組み立て作業の複雑化を抑えつつ、照明のレイアウトの自由度を高めることができる。
【図面の簡単な説明】
【００１４】
【図１】第１実施形態における照明装置の外観を示す斜視図である。
【図２】照明装置本体の構成を示す斜視展開図である。
【図３】支柱の上端部を示す正面図である。
【図４】コア部に対する照明ユニットの組み付け状態を示す斜視図である。
【図５】コア部に照明ユニットとカバープレートを組み付ける場合の組み付け状態を示す斜視図である。
【図６】照明ユニットとカバープレートの組み合わせによる、照明装置の複数のバリエーションを示す図であり、（ａ）は二つの照明ユニットを備えた照明装置の斜視図、（ｂ）は三つの照明ユニットを備えた照明装置の斜視図である。
【図７】第２実施形態における照明装置の構成を示す斜視図である。
【図８】テーブルに設けたボックス部における支柱の支持構造を示すための斜視展開図である。
【図９】ボックス部材を示す図であって、（ａ）は平面図、（ｂ）は正面図、（ｃ）は側面図である。
【図１０】開口部の下方に設けたボックス部材およびベースプレートを示す平面図である。
【図１１】図１０の正断面図である。
【図１２】図１１の側断面図である。
【図１３】蓋体を示す平面図である。
【図１４】ベースプレートの斜視図である。
【図１５】ベースプレートを示す図であって、（ａ）は平面図、（ｂ）は正面図、（ｃ）は側面図である。
【図１６】本実施形態におけるテーブルの他の例を示す図であり、ボックス部における支柱の支持構造を示す正断面図である。
【図１７】図１６の側断面図である。
【発明を実施するための形態】
【００１５】
以下、添付図面を参照して、本発明による照明装置の実施形態を説明する。しかし、本発明はこれらの実施形態のみに限定されるものではない。
［第１実施形態］
図１に示すように、照明装置１００Ａは、照明装置本体１１０と、照明装置本体１１０を支持する支柱（支持部材）５０と、支柱５０の下端部５０ａを支持する（支持部材）ベース体９０と、を備えている。
照明装置本体１１０は、支柱５０の上端部に配置されるコア部１２０が中央部に配置されている。そして、コア部１２０の外周部には照明ユニット１３０が装着されている。
【００１６】
図２に示すように、コア部１２０は、それぞれ平面視略矩形をなした、下部カバー１２１、下部フレーム１２２、制御基板１２３、上部フレーム１２４、上部カバー１２５が、下方から上方に順次配置されている。
下部カバー１２１、下部フレーム１２２、制御基板１２３、上部フレーム１２４には、それぞれその中央部に支柱５０を挿通させる貫通孔１２１ａ，１２２ａ，１２３ａ，１２４ａが形成されている。
【００１７】
下部フレーム１２２の貫通孔１２２ａには、下方に向けて延びる挿入片１２７が形成されている。図３に示すように、この挿入片１２７が、支柱５０の上端部５０ｂ内に挿入され、下部フレーム１２２の下面１２２ｕが支柱５０の上端部５０ｂに突き当たることで、下部フレーム１２２が支柱５０に支持される。支柱５０の上端部５０ｂには、下部フレーム１２２の回り止めのため、上下方向に延びるスリット５９を形成し、このスリット５９に、挿入片１２７に形成した凸部１２７ａを挿入する構成とすることもできる。
【００１８】
図２に示すように、下部フレーム１２２，上部フレーム１２４は、その外周部の各辺１２２ｂ，１２４ｂの両端部近傍に、それぞれ、照明ユニット固定用のネジ孔（ランプ取付部）１２６，１２６が形成されている。つまり、コア部１２０は、その外周部に複数のランプ取付部を有している。
また、下部フレーム１２２，上部フレーム１２４の各辺１２２ｂ，１２４ｂの中央部には、それぞれ、内周側に凹となる凹部１２２ｃ，１２４ｃが形成されている。
【００１９】
制御基板１２３には、各照明ユニット１３０の点灯状態等の発光動作を制御するための電気素子等が実装された電子回路が設けられている。制御基板１２３には、照明ユニット１３０に設けられた接続ハーネスＨ１を接続できるコネクタ（図示無し）が電子回路上に実装されている。また、この電子回路には、中空筒状とされた支柱５０内を通して配線された電源コード７４が電気的に接続されている。制御基板１２３の電子回路には、下部カバー１２１に設けられたスイッチ１２８が電気的に接続され、スイッチ１２８の操作に応じて各照明ユニット１３０の点灯状態が切り替わるようになっている。
【００２０】
上部カバー１２５は、コア部１２０の天面を形成する天板部１２５ａと、天板部１２５ａの外周部から下方に延び、上部フレーム１２４において互いに対向する二辺に位置する凹部１２４ｃ，１２４ｃに係合可能な係止爪１２９，１２９が形成されている。
【００２１】
照明ユニット１３０は、平面視略Ｕ字状に湾曲形成されたサイドカバー１３１と、ＬＥＤ（Light Emitting Diode）電源モジュール１３２ａが搭載された電源基板１３２と、電源基板１３２の上下にそれぞれ配置されたＬＥＤ基板（上部発光部）１３３，ＬＥＤ基板（下部発光部）１３４と、ＬＥＤ基板１３３，１３４に積層された拡散板１３５，１３６と、を備えている。
【００２２】
サイドカバー１３１は、基部１３１ａ側が開放端とされ、端部１３１ｂ側がＵ字状に湾曲して閉鎖端とされている。サイドカバー１３１の基部１３１ａ側には、間隔を隔てて対向するサイドカバー１３１の基部側の辺部１３１ｃ，１３１ｃを連結する連結部材１３７，１３７が上下に間隔を隔てて設けられている。各連結部材１３７の両端部近傍には、サイドカバー１３１の基部１３１ａから端部１３１ｂ側とは反対側に突出するタブ部１３７ａ，１３７ａが形成されている。これらタブ部１３７ａ，１３７ａには、下部フレーム１２２，上部フレーム１２４の各辺１２２ｂ，１２４ｂに形成されたネジ孔１２６，１２６と同じ間隔で、貫通孔１３８，１３８が形成されている。
【００２３】
電源基板１３２は、その表面に搭載されたＬＥＤ素子を発光させるためのＬＥＤ電源モジュール１３２ａが、制御基板１２３に接続ハーネスＨ１を介して電気的に接続されている。
【００２４】
ＬＥＤ基板１３３，１３４は、それぞれ、その一面側に、光源として複数のＬＥＤ発光素子（図示無し）が実装されている。ここで、照明ユニット１３０の上方に配置されるＬＥＤ基板１３３においては、その上面１３３ａ側にＬＥＤ発光素子が実装され、上方に向けて発光する。また、照明ユニット１３０の下方に配置されるＬＥＤ基板１３４においては、その下面１３４ａ側にＬＥＤ発光素子が実装され、下方に向けて発光する。
ＬＥＤ基板１３３，１３４は、電源基板１３２の電源素子１３２ａとリード線Ｈ２を介して電気的に接続されており、電源素子１３２ａから給電がなされるとＬＥＤ発光素子が発光するようになっている。
ここで、ＬＥＤ発光素子が発する光の波長や、ＬＥＤ発光素子のレイアウト、数等については、何ら限定する意図はなく、いかなるものとしても良い。
【００２５】
拡散板１３５，１３６は、例えば乳白色の樹脂プレート材からなり、ＬＥＤ基板１３３，１３４から発せられる光を拡散させる。このため照明ユニット１３０の上方に配置される拡散板１３５は、ＬＥＤ基板１３３の上面１３３ａに対向して積層される。また、照明ユニット１３０の下方に配置される拡散板１３６は、ＬＥＤ基板１３４の下面１３４ａに対向して積層される。
【００２６】
これらの電源基板１３２、ＬＥＤ基板１３３，１３４、拡散板１３５，１３６は、その外周部が、サイドカバー１３１の内周面に形成された溝１３９Ａ，１３９Ｂ，１３９Ｃに差し込まれることで、サイドカバー１３１に装着される。
溝１３９Ａ、１３９Ｂ，１３９Ｃは、サイドカバー１３１の内周面において、サイドカバー１３１の上端縁部１３１ｄ側と、下端縁部１３１ｅ側と、上端縁部１３１ｄと下端縁部１３１ｅとの中間部とに、それぞれ配されており、サイドカバー１３１の基部１３１ａ側の一方の辺部１３１ｃから他方の辺部１３１ｃに向けて、サイドカバー１３１の内周面に沿って連続するよう形成されている。上端縁部１３１ｄ側の溝１３９Ａには、ＬＥＤ基板１３３と拡散板１３５とが積層された状態で挿入され、同様に、下端縁部１３１ｅ側の溝１３９Ｂには、ＬＥＤ基板１３４と拡散板１３６とが積層された状態で挿入される。中間部の溝１３９Ｃには、電源基板１３２が挿入される。
【００２７】
図４に示すように、上記照明ユニット１３０は、上下に設けられた連結部材１３７，１３７のそれぞれにおいて、タブ部１３７ａ，１３７ａを、上部フレーム１２４、下部フレーム１２２の上面１２４ｕ，１２２ｕ上に載せ、貫通孔１３８，１３８を通してネジ孔１２６，１２６にネジ部材１４０をねじ込むことによって、上部フレーム１２４，および下部フレーム１２２に連結される。これにより、照明ユニット１３０は、コア部１２０から外周側に張り出して設けられる。
図４の例においては、平面視略矩形の上部フレーム１２４，下部フレーム１２２の四方に、それぞれ照明ユニット１３０を同様にして連結する。そして、下部カバー１２１、上部カバー１２５を、それぞれ、下部フレーム１２２，上部フレーム１２４に嵌め込むことで、コア部１２０の上下を塞ぐようになっている。これにより、図１に示したような照明装置１００Ａが形成できる。
【００２８】
図５に示すように、このような照明装置１００Ａにおいては、コア部１２０の四方に、照明ユニット１３０に代えてカバープレート１５０を取り付けることもできる。このカバープレート１５０は、サイドカバー１３１と同材料、同色に形成されたプレート部１５１を備えている。このプレート部１５１は、カバー部材１５０をコア部１２０に装着したときにコア部１２０に対向する側の上下に、タブ部１５２，１５２が突出形成されている。これらタブ部１５２，１５２には、下部フレーム１２２、上部フレーム１２４の各辺１２２ｂ，１２４ｂに形成されたネジ孔１２６，１２６と同じ間隔で、貫通孔１５３，１５３が形成されている。
このようなカバープレート１５０は、上下に設けられたタブ部１５２，１５２を、上部フレーム１２４、下部フレーム１２２の上面１２４ｕ，１２２ｕ上に載せ、貫通孔１５３，１５３を通してネジ孔１２６，１２６にネジ部材１４０をねじ込むことによって、上部フレーム１２４，および下部フレーム１２２に連結される。これにより、カバープレート１５０は、コア部１２０において、照明ユニット１３０が取り付けられていない部分を塞ぐ。
【００２９】
つまり、コア部１２０の各辺のネジ孔１２６，１２６には、上記の照明ユニット１３０と、カバープレート１５０とが選択的に装着できるようになっている。
例えば、図１、図２、図４の例では、コア部１２０の四辺に照明ユニット１３０を設けるようにし、図５、図６（ａ）の例では、コア部１２０の互いに対向する二辺に照明ユニット１３０，１３０を設け、残る二辺にカバープレート１５０を設けるようにした。これ以外にも、例えば、図６（ｂ）に示すように、コア部１２０の三辺に照明ユニット１３０，１３０，１３０を設け、残る一辺にカバープレート１５０を設けるようにしることもできる。また、図示を省略するが、コア部１２０の互いに隣接する二辺に照明ユニット１３０，１３０をＬ字状に設け、残る二辺にカバープレート１５０，１５０を設けることもできる。さらに、コア部１２０の一辺にのみ照明ユニット１３０を設け、残る三辺にカバープレート１５０，１５０，１５０を設けるようにしても良い。
【００３０】
上述したようにして、支柱５０の上端部５０ｂに支持されるコア部１２０の周囲に、照明ユニット１３０とカバープレート１５０とを選択的に装着可能とすることで、照明ユニット１３０を様々なレイアウトで備えた照明装置１００Ａを実現できる。これによって、照明装置１００Ａを設置する場所の環境等に応じて、照明ユニット１３０のレイアウトを自由に選択することが可能となる。
しかも、照明装置本体１１０を構成するのに必要な部品としては、コア部１２０と、照明ユニット１３０と、カバープレート１５０があれば良く、レイアウトの自由度を高めるために様々な部品を用意する必要がない。したがって、最低限の部品点数で、組立作業の複雑化を招くこともなく、低コストでレイアウトの自由度を高めることが可能となる。
【００３１】
ところで、上記したような照明装置１００Ａにおいては、支柱５０を、床面上に設置するベース体９０によって支持するようにしたが、ベース体９０の形状は、円形の他、矩形、多角形状等としても良いし、複数本の脚体からベース体９０を構成しても良い。例えば、図６（ｂ）に示すように、照明装置本体１１０を、コア部１２０に対して３つの照明ユニット１３０をＴ字状にレイアウトする場合、ベース体９０の外周部の一部を直線状とし、その直線部９１を、互いに対向する照明ユニット１３０，１３０の配列方向と平行に形成しても良い。このようにすると、照明装置１００Ａを壁体２００等に寄せて配置することが可能となる。
【００３２】
なお、上記第１実施形態において、コア部１２０を平面視略矩形とし、その四辺に照明ユニット１３０またはカバープレート１５０が装着可能な構成としたが、例えば、コア部１２０を平面視で三角形、あるいは５角形以上の多角形とし、その外周部の各辺に対し、照明ユニット１３０またはカバープレート１５０が装着できる構成とすることも可能である。
また、コア部１２０を平面視円形とし、その外周部に、照明ユニット１３０またはカバープレート１５０が装着できる構成としても良い。
【００３３】
また、照明ユニット１３０、カバープレート１５０をコア部１２０の各辺に装着するためのランプ取付部として、下部フレーム１２２，上部フレーム１２４にネジ孔１２６，１２６を設けるようにしたが、ネジ孔１２６，１２６は、下部フレーム１２２，上部フレーム１２４以外に設けても良い。例えば、コア部１２０にフレームを設けて、このフレームに下部カバー１２１、下部フレーム１２２、制御基板１２３、上部フレーム１２４、上部カバー１２５を固定する構成の場合、フレームにネジ孔１２６，１２６を形成しても良い。これ以外にも、照明ユニット１３０、カバープレート１５０をコア部１２０の各辺に装着できるのであれば、その具体的構造は上記したものに限らない。
【００３４】
また、照明ユニット１３０は、上下にＬＥＤ基板１３３，１３４を備えて、上方への間接照明と、下方への直接照明との両方を行うことができるものとしたが、ＬＥＤ基板１３３，１３４のいずれか一方のみを設けて、上方への照射、または下方への照射のいずれか一方だけを行うようにしても良い。
【００３５】
さらに、照明ユニット１３０の形状や構成については、上記した構成に何ら限るものではない。加えて、照明ユニット１３０やカバープレート１５０のコア部１２０に対する取付構造も、上記した以外の適宜の構成としても良い。
【００３６】
［第２実施形態］
次に、本発明の照明装置の第２実施形態について説明する。なお、以下に説明する本実施形態の照明装置１００Ｂは、照明装置本体１１０の構成については、上記第１実施形態と共通するため、その説明を省略する。
図７に示すように、本実施形態の照明装置１００Ｂにおいては、照明装置本体１１０を支持する支柱５０が、テーブル（什器、支持部材）１０に支持されている。図７の例では、照明装置本体１１０のコア部１２０に対し、四方に照明ユニット１３０が装着された構成となっているが、上記第１実施形態と同様、照明装置本体１１０は、コア部１２０の各辺に対し、照明ユニット１３０とカバープレート１５０とを、適宜選択的に装着することができる。
【００３７】
以下、その、テーブル１０における支柱５０の支持構造について詳述する。
図７に示すように、テーブル（什器）１０は、物品を載置可能な上面１１ａを有する天板１１と、天板１１を支持する脚部１２と、天板１１の上面１１ａから窪むように形成されたボックス部２０と、を備えている。
【００３８】
天板１１は、例えば正方形状をなした板材からなる。この天板１１は、正方形状に限られず、例えば長方形状、円形状、長円形状、多角形状、楕円形状等であっても良い。
このようなテーブル１０では、天板１１の上面１１ａの作業スペースを、複数の執務者が共有して使用できるようになっている。
【００３９】
脚部１２は、棒状をなしており、天板１１を下方から安定して支持可能なように互いに間隔をあけて複数配設されている。
【００４０】
ボックス部２０は、天板１１の例えば中央部に形成されている。
図８に示すように、ボックス部２０は、天板１１に形成された例えば矩形の開口部１３の下方に、上方に開口した金属製、樹脂製等のボックス本体２１を備えている。
【００４１】
図９（ａ）〜（ｃ）に示すように、ボックス本体２１は、矩形の底板部（底面）２２と、底板部２２の四辺から上方に立ち上がる側板部２３と、を有している。
底板部２２は、開口部１３の開口寸法よりも大きくなるよう、その四辺の長さが設定されている。
４枚の側板部２３のうち、互いに対向する２枚の側板部２３Ａ，２３Ａは、その幅方向の中間壁部２３ｄに対し、両側が上方に延びる延長壁部２３ｅ，２３ｅとされ、延長壁部２３ｅ，２３ｅの上端部に、延長壁部２３ｅに直交してボックス本体２１の外方に延びる取付プレート部２４が形成されている。各取付プレート部２４には、それぞれ貫通孔２５が形成されている。図１０〜図１２に示すように、これらの貫通孔２５のそれぞれを通して図示しないネジ部材を天板１１の下面１１ｂにねじ込むことによって、ボックス本体２１が天板１１の下面１１ｂに固定されている。ここで、取付プレート部２４は、天板１１の下面１１ｂにおいて、開口部１３を挟んだ両側に位置するよう固定されている。これにより、図１１に示すように、天板１１の下方において、側板部２３Ａ、２３Ａの中間壁部２３ｄと天板１１の下面１１ｂとの間に、ボックス本体２１の内外を連通して、配線などを挿通させることのできる配線挿通部２６が形成されている。
また、図９（ｃ）に示すように、４枚の側板部２３のうち残る２枚の側板部２３Ｂ，２３Ｂは、側板部２３Ａ，２３Ａの中間壁部２３ｄと同等の高さｈを有し、側板部２３Ｂの幅ｗが、底板部２２において側板部２３Ｂが設けられた辺２２ａの長さより小さく形成されている。これにより、図１２に示すように、側板部２３Ｂの上方と両側には、天板１１の下方において、側板部２３Ｂ，２３Ｂと天板１１の下面１１ｂとの間に、ボックス本体２１の内外を連通して、配線などを挿通させることのできる配線挿通部２７が形成されている。
【００４２】
図８、図１０に示すように、開口部１３の四隅には、受け部材３０が設けられている。各受け部材３０は、Ｌ字状の取付ベース部３１と、取付ベース部３１の屈曲方向内側に形成されたブラケット部３２と、が一体に形成されている。
図１０〜図１２に示すように、取付ベース部３１には、複数の貫通孔３３が形成されている。開口部１３の外周側において、各貫通孔３３を通して天板１１の下面１１ｂに図示しないネジ部材がねじ込まれることで、受け部材３０が天板１１に固定されている。
図１０に示すように、ブラケット部３２は、開口部１３の隅部１３ａに近接し、天板１１の上面１１ａに直交して下方に延びるオプション部材保持穴３５と、オプション部材保持穴３５に近接して形成された平面状の受け部３６と、を備えている。オプション部材保持穴３５には、各種のオプション部材の脚等を挿入することにより、オプション部材を天板１１上にセットできるようになっている。受け部３６は、オプション部材保持穴３５に対し、開口部１３の周縁部１３ｂ，１３ｂに沿って延びるよう形成されている。図８に示すように、この受け部３６は、天板１１の上面１１ａよりも所定寸法下方に位置するよう形成されている。
【００４３】
図８に示すように、開口部１３には、これを塞ぐ矩形状の蓋体４０が装着可能とされている。図１３に示すように、蓋体４０は、二個一対の長方形状の蓋部材４１，４１から構成されている。蓋体４０は、これら二個一対の蓋部材４１，４１を付き合わせた状態で、中央部に貫通孔４２が形成されるよう、各蓋部材４１の長辺４１ａの中央部に、半円形状の凹部４２ａが形成されている。これにより、蓋体４０は、貫通孔４２を中心として蓋体４０を複数に分割した複数の蓋部材４１，４１から構成されている。
また、各蓋部材４１において開口部１３の周縁部１３ｂに沿う外周部、より具体的には、蓋部材４１の長辺４１ａに対向する長辺４１ｂと、長辺４１ａの両側に隣接する短辺４１ｃ，４１ｃに、それぞれ、外方に張り出す張り出し部４３，４４が形成されている。張り出し部４３，４４は、長辺４１ｂおよび短辺４１ｃの、ほぼ全長にわたる部分にのみ形成されており、長辺４１ｂと両側の短辺４１ｃとが交差する角部４１ｄの部分は切り欠き部４５とされている。この切り欠き部４５は、前記の受け部材３０のオプション部材保持穴３５を露出させる大きさに形成されている。
また、張り出し部４３，４４において、切り欠き部４５に近接する端部４３ａ，４４ａは、ＡＢＳ等の硬質樹脂（第一の材料）で形成され、端部４３ａ，４４ａ以外の残部４３ｂ，４４ｂは、ゴム系材料や、エラストマー等の軟質樹脂（第二の材料）で形成するのが好ましい。
【００４４】
図８に示すように、このような蓋部材４１，４１は、長辺４１ａどうしを付き合わせた状態で、張り出し部４３，４４の端部４３ａ，４４ａを、受け部材３０の受け部３６上に載せて支持させることで、開口部１３に設置される。これにより、蓋体４０によって、開口部１３が閉塞され、その中央部には、貫通孔４２が形成される。このとき、受け部材３０の受け部３６上に支持される張り出し部４３，４４の端部４３ａ，４４ａは、残部４３ｂ，４４ｂよりも高い剛性を有した硬質材料で形成されているので、蓋部材４１が確実に支持される。また、残部４３ｂ，４４ｂを、ゴム系材料や軟質樹脂で形成することで、蓋部材４１と開口部１３の周縁部１３ｂの隙間から、配線等を通すことも可能となる。
【００４５】
上記したようなボックス部２０には、照明装置をはじめとする各種のオプション部材（物品）を支持する支柱５０のベースプレート５１が着脱可能に固定できるようになっている。
図１４、図１５（ａ）〜（ｃ）に示すように、ベースプレート５１は、矩形のプレート部５２と、プレート部５２の互いに対向する二辺から下方に向けて折り曲げ形成された垂下部５３と、垂下部５３の下端からプレート部５２の中央側に向けて折り曲げ形成された取付片５４と、が一体に形成されている。
取付片５４には、その上面の複数個所に、ナット部材５４Ｎが溶等により固定接されている。図１１、図１２に示すように、ボックス本体２１の底板部２２に形成された貫通孔２８を通して、底板部２２の下方から図示しないボルト部材をナット部材５４Ｎにねじ込むことで、ベースプレート５１がボックス本体２１の底板部２２に固定可能とされている。
【００４６】
プレート部５２の下方には、下方に向けて凹となる溝５５ａを有したサポート部材５５が、溶接等によってプレート部５２に一体に設けられている。この溝５５ａは、上方から下方に向けてその幅が漸次縮小するテーパ状とされている。
サポート部材５５の溝５５ａ上には、円筒状のスリーブ部材（支柱支持部）５６が一体に固定されている。スリーブ部材５６は、サポート部材５５とプレート部５２とを貫通してプレート部５２の上方に所定長突出し、サポート部材５５とプレート部５２の２個所において溶接等によって強固に固定されている。円筒状のスリーブ部材５６の上下には、所定内径を有した円筒状のブッシュ５６ｂ，５６ｂが嵌め込まれている。
底板部２２には、このスリーブ部材５６の下端が突き当たる位置に貫通孔２９が形成されている。そして、底板部２２の下方からノブボルト５８が貫通孔２９を通して下側のブッシュ５６ｂにねじ込まれることによって、スリーブ部材５６が底板部２２に固定されるようになっている。
【００４７】
このようなスリーブ部材５６には、支柱５０の下端部５０ａを挿入して支持できるようになっている。支柱５０は、少なくともその下端部５０ａが、ブッシュ５６ｂの内径に合致した外径を有している。支柱５０は、下端部５０ａが、スリーブ部材５６の上下のブッシュ５６ｂ，５６ｂに挿入されることで、天板１１の上面１１ａに直交した状態で起立して保持される。支柱５０が、照明装置等の電気器具の支柱５０である場合、支柱５０を中空筒状とし、その内部に電源コード７４を挿通させることができ、下端部５０ａには、その内外を貫通する配線取出し孔６０が形成される。この電源コード７４は、配線取出し孔６０から支柱５０外に取り出され、ボックス本体２１の配線挿通部２６や配線挿通部２７を通してボックス部２０外に導出することができる。
また、支柱５０と、スリーブ部材５６には、スリーブ部材５６内に支柱５０を挿入したときに互いに合致する位置（高さ）に、ネジ孔６１と貫通孔６２が形成されている。支柱５０は、貫通孔６２を通してユリアネジ６３をネジ孔６１にねじ込むことで、スリーブ部材５６に固定することができる。
【００４８】
このようにして支柱５０が、ベースプレート５１によってボックス部２０内に強固に固定される。
そして、蓋部材４１，４１を、支柱５０を挟み込むようにして設置することで、開口部１３を塞ぐことができる。このとき、支柱５０に、蓋部材４１を、凹部４２ａの周囲で支持するために、外周に張り出すフランジ部６４を設けることもできる。
【００４９】
このようにして、ボックス部２０内にベースプレート５１を設置することで、支柱５０を安定して支持することが可能となる。さらに、ベースプレート５１には、支柱５０の下端部５０ａが挿入可能な筒状のスリーブ部材５６が設けられているため、支柱５０を、より強固に支持できる。このようにして、支柱５０を強固に支持することが可能となる。
しかも、支柱５０を支持するためのベースプレート５１やスリーブ部材５６は、ボックス部２０内に収容されるため、天板１１上の美観を向上させることができる。
【００５０】
さらに、蓋体４０により、支柱５０の不使用時はもちろんのこと、支柱５０を挿通させる貫通孔４２を有しているため、支柱５０の使用時においても開口部１３を塞ぐことができる。これにより、天板１１上のスペースの有効利用を図るとともに、美観をより一層向上させることができる。また、蓋体４０は、貫通孔４２を中心として複数の蓋部材４１，４１に分割されているため、支柱５０を設置した状態のまま、開口部１３を開閉することもできる。
【００５１】
また、ボックス本体２１には、天板１１の下方においてボックス本体２１の内外を連通する配線挿通部２６，２７が形成されているので、支柱５０から導出される電源コード７４等をボックス本体２１の内外に挿通させることができる。
【００５２】
（その他の実施形態）
なお、本発明は、図面を参照して説明した上述の実施形態に限定されるものではなく、その技術的範囲において様々な変形例が考えられる。
例えば、図１６、図１７に示すように、ボックス部２０を長方形状とした場合にも、開口部１３やボックス本体２１を長方形状に形成して、底板部２２の中央部に、上記実施形態と同様のベースプレート５１を取り付け、支柱５０を設けるようにしても良い。ボックス部２０を長方形状とする場合、図１６に示すように、側板部２３Ａにおいて、中間壁部２３ｄを間隔を隔てて複数（図１６の例では２個所）に設け、互いに隣接する中間壁部２３ｄ，２３ｄ間にも延長壁部２３ｅを設けるようにしても良い。
【００５３】
また、受け部材３０は、上記した構成に限るものではなく、蓋部材４１を支持できるのであれば、例えばオプション部材保持穴３５を省略する等、適宜他の構成としても良い。
さらに、上記実施形態では、什器の一例としてテーブル１０を示したが、これ以外にも、デスク、カウンター等、天板を有したものであれば様々な什器を照明装置１００Ｂのベース体として用いることができる。
【００５４】
加えて、上記第１、第２実施形態では、支柱５０によって照明装置本体１１０を支持する構成としているが、これに限らず、例えば照明装置本体１１０を壁面にブラケット等の支持部材を介して支持する構成においても、本発明は同様に適用することができる。
これ以外にも、本発明の主旨を逸脱しない限り、上記実施の形態で挙げた構成を取捨選択したり、他の構成に適宜変更することが可能である。
【符号の説明】
【００５５】
１０  テーブル（什器、支持部材）
１１  天板
１１ａ  上面
１１ｂ  下面
１２  脚部
１３  開口部
１３ａ  隅部
１３ｂ  周縁部
２０  ボックス部
２１  ボックス本体
２２  底板部
２２ａ  辺
２３，２３Ａ，２３Ｂ  側板部
２３ｄ  中間壁部
２３ｅ  延長壁部
２４  取付プレート部
２５  貫通孔
２６，２７  配線挿通部
２８  貫通孔
２９  貫通孔
３０  受け部材
３１  取付ベース部
３２  ブラケット部
３３  貫通孔
３５  オプション部材保持穴
３６  受け部
４０  蓋体
４１  蓋部材
４１ａ  長辺
４１ｂ  長辺
４１ｃ  短辺
４１ｄ  角部
４２  貫通孔
４２ａ  凹部
４３，４４  張り出し部
４３ａ，４４ａ  端部
４３ｂ，４４ｂ  残部
４５  切り欠き部
５０  支柱（支持部材）
５０ａ  下端部
５０ｂ  上端部
５１  ベースプレート
５２  プレート部
５３  垂下部
５４  取付片
５４Ｎ  ナット部材
５５  サポート部材
５５ａ  溝
５６  スリーブ部材（支柱支持部）
５６ｂ  ブッシュ
５８  ノブボルト
５９  スリット
６０  孔
６１  ネジ孔
６２  貫通孔
６３  ユリアネジ
６４  フランジ部
７４  電源コード
９０  ベース体（支持部材）
９１  直線部
１００Ａ，１００Ｂ  照明装置
１１０  照明装置本体
１２０  コア部
１２１  下部カバー
１２２  下部フレーム
１２３  制御基板
１２４  上部フレーム
１２４ｃ  凹部
１２５  上部カバー
１２５ａ  天板部
１２６  ネジ孔（ランプ取付部）
１２７  挿入片
１２８  係止バー
１２９  係止爪
１３０  照明ユニット
１３１  サイドカバー
１３１ａ  基部
１３１ｂ  端部
１３１ｃ  辺部
１３１ｄ  上端縁部
１３１ｅ  下端縁部
１３２  電源基板
１３２ａ  ＬＥＤ電源モジュール
１３３  ＬＥＤ基板（上部発光部）
１３４  ＬＥＤ基板（下部発光部）
１３５，１３６  拡散板
１３７  連結部材
１３７ａ，１３７ａ  タブ部
１３８，１３８  貫通孔
１３９Ａ，１３９Ｂ，１３９Ｃ  溝
１４０  ネジ部材
１５０  カバープレート
１５１  プレート部
１５２  タブ部
１５３  貫通孔
２００  壁体
【図１】
2014093234.tif 000003
【図２】
2014093234.tif 000004
【図３】
2014093234.tif 000005
【図４】
2014093234.tif 000006
【図５】
2014093234.tif 000007
【図６】
2014093234.tif 000008
【図７】
2014093234.tif 000009
【図８】
2014093234.tif 000010
【図９】
2014093234.tif 000011
【図１０】
2014093234.tif 000012
【図１１】
2014093234.tif 000013
【図１２】
2014093234.tif 000014
【図１３】
2014093234.tif 000015
【図１４】
2014093234.tif 000016
【図１５】
2014093234.tif 000017
【図１６】
2014093234.tif 000018
【図１７】
2014093234.tif 000019